(57)【要約】【課題】着信相手の優先度に応じて、操作に応じた処理を適切に制御できるようにする。【解決手段】表示部に複数の画面を表示可能な通信端末装置において、表示部１７に画面を表示中に着信があった場合に、表示中の画面とともに着信画面を表示し、着信相手の優先度に基づいて、表示される着信画面を主要操作が可能な優先画面とするか一部操作が可能もしくは操作が不可能な非優先画面とするかを判別し、着信画面を優先画面とすると判別された場合に、着信画面を優先画面とし、着信画面以外の画面を非優先画面し、優先画面となった着信画面の操作に応じた処理を行うようにする。また着信画面が優先画面となった場合、操作部１８として設けられた複数キーのいずれを操作しても着信に対して応答する処理を行うようにする。【選択図】図９
2008311705.tif 000002
【特許請求の範囲】
【請求項１】
表示部に複数の画面を表示可能な通信端末装置であって、
表示部に画面を表示中に着信があった場合に、表示中の画面とともに着信画面を表示する表示制御手段と、
前記着信の着信相手の優先度に基づいて、前記表示制御手段によって表示される着信画面を主要操作が可能な優先画面とするか一部操作が可能もしくは操作が不可能な非優先画面とするかを判別する判別手段と、
前記判別手段によって着信画面を優先画面とすると判別された場合に、着信画面を優先画面とし、着信画面以外の画面を非優先画面とする優先制御手段と、
前記優先制御手段によって優先画面となった着信画面の操作に応じた処理をする操作制御手段と、
を備えることを特徴とする通信端末装置。
【請求項２】
請求項１に記載の通信端末装置であって、
前記操作制御手段は、前記優先制御手段によって着信画面が優先画面となった場合、操作部に設けられた複数キーのいずれを操作しても着信に対して応答する処理を行うこと
を特徴とする通信端末装置。
【請求項３】
請求項１に記載の通信端末装置であって、
前記操作制御手段は、前記優先制御手段によって着信画面が優先画面となった場合、操作部に設けられた複数キーのうち所定キーの操作に応じて着信に対する応答処理を行うこと
を特徴とする通信端末装置。
【請求項４】
請求項１に記載の通信端末装置であって、
前記優先制御手段は、前記判別手段によって着信画面を非優先画面とすると判別された場合に、着信画面を非優先画面とし、着信画面以外の画面のうち、いずれか１つの画面を優先画面とし、
前記操作制御手段は、非優先画面となった着信画面の操作に応じた処理をするか、もしくは、操作に応じた処理を抑制すること
を特徴とする通信端末装置。
【請求項５】
請求項４に記載の通信端末装置であって、
前記操作制御手段は、前記優先制御手段によって着信画面が非優先画面となった場合、前記操作部に設けられた複数キーのうち所定キーの操作に応じて着信に対する応答処理を行うこと
を特徴とする通信端末装置。
【請求項６】
請求項４に記載の通信端末装置であって、
前記操作制御手段は、前記優先制御手段によって着信画面が非優先画面となった場合、前記操作部に設けられた複数キーのいずれを操作しても着信に対して応答する処理を抑制すること
を特徴とする通信端末装置。
【請求項７】
請求項１に記載の通信端末装置であって、
前記判別手段は、予め設定された着信相手の優先度に基づいて、着信画面を優先画面とするか非優先画面とするかを判別すること
を特徴とする通信端末装置。
【請求項８】
請求項１に記載の通信端末装置であって、
前記判別手段は、着信相手との通信量に対応する優先度に基づいて、着信画面を優先画面とするか非優先画面とするかを判別すること
を特徴とする通信端末装置。
【請求項９】
請求項１に記載の通信端末装置であって、
前記判別手段は、着信相手との通信状況に対応する優先度に基づいて、着信画面を優先画面とするか非優先画面とするかを判別すること
を特徴とする通信端末装置。
【請求項１０】
請求項１に記載の通信端末装置であって、
前記判別手段は、通信相手との前回からの経過時間に対応する優先度に基づいて、着信画面を優先画面とするか非優先画面とするかを判別すること
を特徴とする通信端末装置。
【請求項１１】
請求項１に記載の通信端末装置であって、
前記表示制御手段は、判別手段による判別結果に基づいて、着信画面に表示する内容、着信画面の表示サイズ、及び着信画面の表示位置の少なくともいずれか１つを制御すること
を特徴とする通信端末装置。
【請求項１２】
コンピュータに、
表示部に画面を表示中に着信があった場合に、表示中の画面とともに着信画面を表示する機能と、
前記着信の着信相手の優先度に基づいて、前記着信画面を主要操作が可能な優先画面とするか一部操作が可能もしくは操作が不可能な非優先画面とするかを判別する機能と、
前記着信画面を優先画面とすると判別された場合に、着信画面を優先画面とし、着信画面以外の画面を非優先画面とする機能と、
前記優先画面となった着信画面の操作に応じた処理をする機能と、
を実現させるためのプログラム。
【発明の詳細な説明】
【技術分野】
【０００１】
本発明は、通信端末装置、及びプログラムに関し、着信画面の操作に応じた処理を制御する技術に関する。
【背景技術】
【０００２】
昨今、複数の画面を表示可能な表示部を有する携帯電話機等の通信端末装置が開発されている。このような通信端末装置として、例えば特許文献１には、複数のサービス画面を表示部に表示させる情報端末装置が開示されている。この情報端末装置では、サービスを提供する（スケジュールソフト、アドレス帳ソフトなどの）ソフト毎の画面の表示優先順位を記憶しておき、着信が入った場合に、表示中のサービス画面のソフトと電話機能ソフトの表示優先順位を比較し、後者の表示優先順位が高い場合には、表示中のサービス画面を維持したまま、電話機能ソフトのサービス画面（着信を報知する画面）を半透明で表示し、後者の表示優先順位が低い場合には、電話機能ソフトのサービス画面を表示せずに表示中のサービス画面だけを引き続き表示するようになっている。
【特許文献１】特開２００６−１０７４０４号公報
【発明の開示】
【発明が解決しようとする課題】
【０００３】
ところで、このようにソフト（機能）毎に画面の表示優先順位を指定する場合には、着信画面の表示優先順位を低く設定してしまうと、本来優先したい相手から着信があったときにも着信画面が表示されなくなり、ユーザは気づくことができなくなってしまう。逆に着信画面の表示優先順位を高く設定してしまうと、本来優先したい相手でない相手から着信があったときに現在表示していた画面の操作を中断されてしまうことになる。
本発明は、このような事情に鑑みてなされたもので、着信相手の優先度に応じて、操作に応じた処理を適切に制御することができる通信端末装置、及びプログラムを提供することを目的とする。
【課題を解決するための手段】
【０００４】
本発明のうち請求項１に記載の発明は、表示部に複数の画面を表示可能な通信端末装置であって、表示部に画面を表示中に着信があった場合に、表示中の画面とともに着信画面を表示する表示制御手段と、前記着信の着信相手の優先度に基づいて、前記表示制御手段によって表示される着信画面を主要操作が可能な優先画面とするか一部操作が可能もしくは操作が不可能な非優先画面とするかを判別する判別手段と、前記判別手段によって着信画面を優先画面とすると判別された場合に、着信画面を優先画面とし、着信画面以外の画面を非優先画面とする優先制御手段と、前記優先制御手段によって優先画面となった着信画面の操作に応じた処理をする操作制御手段と、を備えることとする。
【０００５】
本発明のうち請求項２に記載の発明は、請求項１に記載の通信端末装置であって、前記操作制御手段は、前記優先制御手段によって着信画面が優先画面となった場合、操作部に設けられた複数キーのいずれを操作しても着信に対して応答する処理を行うこととする。
【０００６】
本発明のうち請求項３に記載の発明は、請求項１に記載の通信端末装置であって、前記操作制御手段は、前記優先制御手段によって着信画面が優先画面となった場合、操作部に設けられた複数キーのうち所定キーの操作に応じて着信に対する応答処理を行うこととする。
【０００７】
本発明のうち請求項４に記載の発明は、請求項１に記載の通信端末装置であって、前記優先制御手段は、前記判別手段によって着信画面を非優先画面とすると判別された場合に、着信画面を非優先画面とし、着信画面以外の画面のうち、いずれか１つの画面を優先画面とし、前記操作制御手段は、非優先画面となった着信画面の操作に応じた処理をするか、もしくは、操作に応じた処理を抑制することとする。
【０００８】
本発明のうち請求項５に記載の発明は、請求項４に記載の通信端末装置であって、前記操作制御手段は、前記優先制御手段によって着信画面が非優先画面となった場合、前記操作部に設けられた複数キーのうち所定キーの操作に応じて着信に対する応答処理を行うこととする。
【０００９】
本発明のうち請求項６に記載の発明は、請求項４に記載の通信端末装置であって、前記操作制御手段は、前記優先制御手段によって着信画面が非優先画面となった場合、前記操作部に設けられた複数キーのいずれを操作しても着信に対して応答する処理を抑制することとする。
【００１０】
本発明のうち請求項７に記載の発明は、請求項１に記載の通信端末装置であって、前記判別手段は、予め設定された着信相手の優先度に基づいて、着信画面を優先画面とするか非優先画面とするかを判別することとする。
【００１１】
本発明のうち請求項８に記載の発明は、請求項１に記載の通信端末装置であって、前記判別手段は、着信相手との通信量に対応する優先度に基づいて、着信画面を優先画面とするか非優先画面とするかを判別することとする。
【００１２】
本発明のうち請求項９に記載の発明は、請求項１に記載の通信端末装置であって、前記判別手段は、着信相手との通信状況に対応する優先度に基づいて、着信画面を優先画面とするか非優先画面とするかを判別することとする。
【００１３】
本発明のうち請求項１０に記載の発明は、請求項１に記載の通信端末装置であって、前記判別手段は、通信相手との前回からの経過時間に対応する優先度に基づいて、着信画面を優先画面とするか非優先画面とするかを判別することとする。
【００１４】
本発明のうち請求項１１に記載の発明は、請求項１に記載の通信端末装置であって、前記表示制御手段は、判別手段による判別結果に基づいて、着信画面に表示する内容、着信画面の表示サイズ、及び着信画面の表示位置の少なくともいずれか１つを制御することとする。
【００１５】
本発明のうち請求項１２に記載の発明は、プログラムであって、コンピュータに、表示部に画面を表示中に着信があった場合に、表示中の画面とともに着信画面を表示する機能と、前記着信の着信相手の優先度に基づいて、前記着信画面を主要操作が可能な優先画面とするか一部操作が可能もしくは操作が不可能な非優先画面とするかを判別する機能と、前記着信画面を優先画面とすると判別された場合に、着信画面を優先画面とし、着信画面以外の画面を非優先画面とする機能と、前記優先画面となった着信画面の操作に応じた処理をする機能と、を実現させるものである。
【発明の効果】
【００１６】
本発明によれば、着信相手の優先度に応じて、操作に応じた処理を適切に制御することができる。
【発明を実施するための最良の形態】
【００１７】
（１）以下、実施形態について説明する。
（１−１）システム構成例
図１に実施形態として説明するシステムの構成図を示している。同図に示すように、通信端末装置である携帯電話機１は、交換機２を介して無線通信網３に接続される基地局４と通信することにより、他の通信端末装置との間で、音声通話や、無線通信網３に接続する他の通信端末装置と、無線通信網３に接続しているメールサーバ５を介して電子メールの授受を行う。無線通信網３は、インターネット６に接続し、携帯電話機１は、インターネット６上の他の通信端末装置と、インターネット６上のメールサーバ７にアクセスして電子メールを発着信（送受信）することができる。
【００１８】
なお、本実施形態では通信端末装置の一例である携帯電話機１について説明するが、通信端末装置は必ずしも携帯電話機に限られない。例えば、携帯情報端末（Personal Digital Assistant）、ノート型又はデスクトップ型のパーソナルコンピュータ、デジタルカメラ等、通信機能を備える他の情報処理装置（コンピュータ）であってもよい。
【００１９】
図２は携帯電話機１のブロック図である。携帯電話機１は、中央制御部１１、メモリ（ＲＡＭ１２（Random Access Memory）、ＲＯＭ１３（Read Only Memory））、無線通信部１４、音声信号処理部１６、表示部１７、操作部１８、ＲＴＣ１９（Real Time Clock）等を有している。
【００２０】
中央制御部１１は、ＣＰＵ（Central Processing Unit)やＭＰＵ（Micro Processing Unit）等を用いて構成されている。中央制御部１１は、ＲＡＭ１２又はＲＯＭ１３に記憶されているプログラムやデータに基づいて、携帯電話機１の統括的な制御を行うとともに、携帯電話機１が提供する各種の機能を実現する。
【００２１】
ＲＡＭ１２には、アドレス帳データが記憶されるアドレス帳データ記憶部１２２、携帯電話機１が発着信した電子メールの内容を記憶するメールデータ記憶部１２３、携帯電話機１における音声通話履歴やメール通信履歴等の通信の履歴を記憶する通信履歴記憶部１２４、表示部１７に表示する画面の制御に用いられる条件である判別条件を記憶する判別条件記憶部１２５、操作部１８に対して行われる操作に対する応答方法を示す情報である応答方法設定情報を記憶する応答方法設定情報記憶部１２６が含まれる。またＲＯＭ１３にはプログラムやデータが記憶されている。
【００２２】
無線通信部１４は、無線通信により基地局４を介して無線通信網３やインターネット６に接続するための通信インタフェースである。音声信号処理部１６は、マイクロフォンに入力されるアナログ音声信号をデジタル信号に変換して中央制御部１１に伝え、また中央制御部１１等から出力されるデジタル音声信号をアナログ音声信号に変換してスピーカに出力する。
【００２３】
表示部１７は、液晶パネル、有機ＥＬパネル、ブラウン管モニタ等の、情報を視覚的に出力する装置である。操作部１８は、操作ボタン、タッチパネル、操作ダイヤル、キーボード、マウス等の、ユーザの操作入力を電気信号に変換して中央制御部１１に伝える装置である。ＲＴＣ（Real Time Clock）１９は、日付や時刻等の現在の時刻情報を出力するクロックである。
【００２４】
図３にアドレス帳データ記憶部１２２が記憶するアドレス帳データの一例を示している。アドレス帳データ３００は、アドレス帳データ３００を構成している各レコードを識別する識別子が設定されるアドレス帳ＩＤ３１１、名前が設定される名前３１２、電話番号が設定される電話番号３１３、メールアドレスが設定されるメールアドレス３１４、自宅住所が設定される自宅住所３１５、画像データが設定される画像データ３１６、及び、優先度として「１」または「０」が設定される優先フラグ３１７の各フィールドを有している。なお、優先フラグ３１７には、ユーザ操作などにより、そのデータが優先したいデータである場合は「１」が設定され、優先したいデータでなければ「０」が設定される。
【００２５】
図４Ａはメールデータ記憶部１２３が記憶するメールデータのうち、携帯電話機１から発信された電子メールである発信メールデータの一例である。発信メールデータ４００は、発信（送信）した各電子メールを識別する識別子が設定されるメールＩＤ４１１、当該発信メールの発信先（宛先）である通信相手の名前が設定される名前４１２、通信相手のメールアドレスが設定されるメールアドレス４１３、当該発信メールを発信した日時である発信日時が設定される発信日時４１４、及び、メール本文の内容が設定されるメール本文４１５の各フィールドを有している。
【００２６】
図４Ｂはメールデータ記憶部１２３が記憶するメールデータのうち、携帯電話機１に着信した電子メールである着信メールデータの一例である。着信メールデータ４５０は、着信（受信）した各電子メールを識別する識別子が設定されるメールＩＤ４５１、当該着信メールを発信した通信相手の名前が設定される名前４５２、通信相手のメールアドレスが設定されるメールアドレス４５３、当該着信メールを着信した日時である着信日時が設定される着信日時４５４、及び、メール本文の内容が設定されるメール本文４５５の各フィールドを有している。
【００２７】
図５Ａは通信履歴記憶部１２４が記憶する音声通話履歴の一例である。音声通話履歴５００は、携帯電話機１において音声通話が行われた日時が設定される日時５１１、その音声通話が当該携帯電話機１からの発信（発呼）により行われたものであるか、それとも着信（着呼）に応じて行われたものであるかを示す情報が設定される通話種別５１２、その通話相手の名前が設定される名前５１３、その通話相手の電話番号が設定される電話番号５１４、その音声通話の通話相手との通話回数の累計が設定される通話回数５１６、及び、その音声通話の通話相手との通話時間の累計が設定される通話時間５１７の各フィールドを有している。なお、ＲＡＭ１２の有効利用を図るべく、図５Ａの音声通話履歴５００では、通信相手が同じ場合は最新の通話回数５１６と通話時間５１７のフィールドだけが生成されるようにしている（最新以外の通話回数５１６と通話時間５１７のフィールドは、消去される）。
【００２８】
図５Ｂは通信履歴記憶部１２４が記憶するメール通信の履歴（以下、メール通信履歴５５０と称する。）の一例である。メール通信履歴５５０は、電子メールの発着信が行われた日時が設定される日時５５１、その電子メールが発信（送信）メールか、着信（受信）メールかを示す情報が設定されるメール種別５５２、その電子メールの通信相手の名前が設定される名前５５３、その通信相手のメールアドレスが設定されるメールアドレス５５４、当該電子メールに対して返信したか否か、通信相手から返信があったか否か等、当該電子メールの状況が設定されるメール状況５５５、その通信相手との間で行った電子メールの累計が設定されるメール回数５５６、及び、その通信相手との間で行ったデータ量の累計が設定されるメール量５５７の各フィールドを有している。なお、音声通話履歴５００と同様にＲＡＭ１２の有効利用を図るべく、図５Ｂのメール通信履歴５５０では、通信相手が同じ場合は最新のメール回数５５６とメール量５５７のフィールドだけが生成されるようにしている。
【００２９】
図６Ａは判別条件記憶部１２５が記憶する音声通話の判別条件（以下、音声通話判別条件６００と称する。）の一例である。音声通話判別条件６００は、「０」又は「１」が設定される設定フラグ６１１、判別条件の名称が設定される名称６１２、及び、判別条件の内容が設定される内容６１３の各フィールドを有している。このうち、設定フラグ６１１は、現在有効な判別条件か否かを示すもので、それが「１」であれば、現在有効な条件であることを示し、「０」であれば、現在無効な条件であることを示している。
【００３０】
図６Ｂは判別条件記憶部１２５が記憶するメール通信の判別条件（以下、メール通信判別条件６５０と称する。）の一例である。メール通信判別条件６５０は、「０」又は「１」が設定される設定フラグ６５１、判別条件の名称が設定される名称６５２、及び、判別条件の内容が設定される内容６５３の各フィールドを有している。
【００３１】
図７は応答方法設定情報記憶部１２６が記憶する応答方法設定情報７００の一例である。応答方法設定情報７００は、「０」又は「１」が設定される設定フラグ７１１、後述する優先画面に対する応答方法が設定される優先画面７１２、及び、後述する非優先画面に対する応答方法が設定される非優先画面７１３の各フィールドを有している。
【００３２】
図８は携帯電話機１の操作部１８の一部を構成する操作キーのレイアウトの一例である。同図に示すように、操作部１８は、操作キーとして、決定キー８１１とその周囲に配置される方向指示キー８１２、通話開始キー８１３、解除キー８１４、通話終了キー８１５、数字キーや記号キーを含むテンキー８１６を有している。携帯電話機１は、これらの操作キーのうち、複数の操作キーを着信に対して応答するための対象のキーとし、その対象のキーのいずれを操作しても着信に対して応答する処理を実行する、いわゆるエニーキーアンサー（Any Key Answer）の状態に設定することができる。なお、携帯電話機１は、操作キーのうち、通話開始キー８１３、及び、テンキー８１６をエニーキーアンサーの対象とするものとする。
【００３３】
図９は表示部１７に表示される画面の一例を説明する図である。表示部１７は、表示される内容（コンテンツ）が独立した、いわゆるマルチウィンドウ形式で複数の画面を表示することができる。例えば表示部１７にある画面（１つ又は複数の画面）を表示中に音声通話又は電子メールの着信があった場合、表示部１７は、表示中の画面とともに着信画面を表示する。
【００３４】
携帯電話機１は、表示部１７が表示する画面を優先画面又は非優先画面として制御する優先制御手段を有する。ここで優先画面とは、操作キーによる主要な操作が可能な画面のことであり、非優先画面とは、操作キーによる一部の操作が可能かもしくは操作が不可能な画面のことである。なお、図９では、優先画面を太線枠で、非優先画面を細線枠で、それぞれ描いている。
【００３５】
携帯電話機１は、優先制御手段により優先画面となった着信画面の操作に応じた処理を実行する操作制御手段を有する。操作制御手段は、優先制御手段によって着信画面が優先画面となった場合、エニーキーアンサーの対象になっている操作キーの操作に応答（例えば、通話状態への遷移や着信した電子メールの内容を表示する状態に遷移）する処理を行う。また操作制御手段は、優先制御手段によって着信画面が優先画面となった場合、操作キーのうちの所定キーの操作に応じて着信に対する応答処理をする。
【００３６】
図９に示すように、１つの表示部１７の表示領域内に優先画面と非優先画面が同時に表示されている。ユーザは、方向指示キー８１２を操作することによりいずれの画面を優先画面とするかを選択することができる。同図上段には着信時に表示される画面例を示している。また同図下段には、同図上段に示す画面が表示されている状態で、ユーザが方向指示キー８１２を操作して優先画面の切替選択を行った後に表示される画面例を示している。
【００３７】
なお、表示レイアウトは必ずしも図９に示したものに限られる訳ではない。例えば方向指示キー８１２による選択が可能な複数の画面を左右方向に並べて配置するようにしてもよいし、複数の画面を重ねて配置するようにしてもよい。また当然のことながら、表示内容は図９に例示するものに限られない。
【００３８】
（１−２）動作例
図１０は、携帯電話機１において行われる処理を説明するフローチャートである。携帯電話機１は、主電源がオフされている状態において、電源オン操作が行われたか否かを監視している（Ｓ１０１１）。携帯電話機１は、電源オン操作がされたことを検知すると（Ｓ１０１１：ＹＥＳ）、主電源をオンして、無線通信網３と接続するための位置登録等の待受処理を開始する（Ｓ１０１２）。
【００３９】
待受処理後、携帯電話機１は、ユーザが操作部１８に対して何らかの操作を行ったか否かを監視する。この監視において、携帯電話機１は、表示制御に関する設定操作が行われたことを検知すると（Ｓ１０１３：ＹＥＳ）、ユーザの操作入力に応じて、アドレス帳データ３００、判別条件（音声通話判別条件６００、メール通信判別条件６５０）、応答方法設定情報７００等の設定に関する処理を行う（Ｓ１０１４）。その後はＳ１０１３に戻る。
【００４０】
一方、携帯電話機１は、音声通話の着信を検知すると（Ｓ１０１５：ＹＥＳ）、音声着信処理（Ｓ１０１６）を開始する。音声着信処理（Ｓ１０１６）の詳細については後述する。音声着信処理（Ｓ１０１６）の後は、通信履歴記憶部１２４が、音声通話履歴５００を生成して記憶し、その後はＳ１０１３に戻る。
【００４１】
携帯電話機１は、操作部１８に対して音声通話の発信操作が行われたことを検知すると（Ｓ１０１８：ＹＥＳ）、発呼処理等の音声発信処理を実行し（Ｓ１０１９）、通話処理を開始する（Ｓ１０２０）。その後はＳ１０１７に進む。
【００４２】
携帯電話機１は、電子メールの着信を検知すると（Ｓ１０２１：ＹＥＳ）、メール着信処理（Ｓ１０２２）を開始する。メール着信処理（Ｓ１０２２）の詳細については後述する。メール着信処理（Ｓ１０２２）の後は、通信履歴記憶部１２４が、メール通信履歴５５０を生成して記憶し（Ｓ１０２３）、その後はＳ１０１３に戻る。
【００４３】
携帯電話機１は、操作部１８に対して電子メールの発信操作が行われたことを検知すると（Ｓ１０２４：ＹＥＳ）、電子メールの発信（送信）に関する処理を実行し（Ｓ１０２５）、その後はＳ１０２３に進む。
【００４４】
携帯電話機１は、電源オフ操作が行われたことを検知すると（Ｓ１０２６：ＹＥＳ）、主電源をオフする（Ｓ１０２７）。
【００４５】
なお、携帯電話機１は、以上に説明した以外の他の操作が行われた場合（Ｓ１０２８：ＹＥＳ）、その操作に対応した処理を実行する（Ｓ１０２９）。その後はＳ１０１３に戻る。
【００４６】
図１１Ａは図１０の音声着信処理（Ｓ１０１６）の詳細を説明するフローチャートである。携帯電話機１は、着信相手の電話番号を取得する（Ｓ１１１１）。次に携帯電話機１は、判別条件記憶部１２５が記憶している音声通話判別条件６００のうち、設定フラグ６１１に「１」が設定されているものを読み出す（Ｓ１１１２）。
【００４７】
次に携帯電話機１は、読み出した音声通話判別条件６００の名称６１２に「アドレス帳」が設定されているか否かを判断する（Ｓ１１１３）。「アドレス帳」が設定されていれば（Ｓ１１１３：ＹＥＳ）、Ｓ１１１４に進み、「アドレス帳」が設定されていなければ（Ｓ１１１３：ＮＯ）、Ｓ１１３１に進む。
【００４８】
Ｓ１１１４において、携帯電話機１は、通話相手の電話番号が（電話番号３１３に）設定されているレコードがアドレス帳データ３００に存在するか否かを判断する。存在する場合には（Ｓ１１１４：ＹＥＳ）、Ｓ１１１５に進み、存在しない場合には（Ｓ１１１４：ＮＯ）、Ｓ１１２０に進む。
【００４９】
Ｓ１１１５において、携帯電話機１は、着信画面を表示部１７の表示領域の上段に大サイズで表示する。また携帯電話機１は、その他の画面を表示領域の下段に着信画面よりも小サイズで表示する（Ｓ１１１６）。また携帯電話機１は、アドレス帳データ３００から、通信相手の画像データ３１６、名前３１２を読み出して、着信画面にその画像データ、名前、Ｓ１１１１で取得した電話番号を表示する（Ｓ１１１７）。そして携帯電話機１は、着信画面を優先画面に設定（着信画面を特定する情報に優先画面であることを示す情報を対応づけてＲＡＭ１２に記憶）し（Ｓ１１１８）、その他の画面を非優先画面に設定（その他の画面を特定する情報に非優先画面であることを示す情報を対応づけてＲＡＭ１２に記憶）する（Ｓ１１１９）。その後はＳ１１２５に進む。
【００５０】
一方、Ｓ１１２０では、携帯電話機１は、表示部１７の表示領域の下段に中サイズで表示する。また携帯電話機１は、その他の画面を表示領域の上段に中サイズで表示する（Ｓ１１２１）。また携帯電話機１は、着信画面にＳ１１１１で取得した電話番号を表示する（Ｓ１１２２）。そして携帯電話機１は、着信画面を非優先画面に設定（着信画面を特定する情報に非優先画面であることを示す情報を対応づけてＲＡＭ１２に記憶）し（Ｓ１１２３）、その他の画面を優先画面に設定（その他の画面を特定する情報に優先画面であることを示す情報を対応づけてＲＡＭ１２に記憶）する（Ｓ１１２４）。その後はＳ１１２５に進む。
【００５１】
Ｓ１１２５では、携帯電話機１は、音声信号処理部１６を制御して、着信音を出力する（Ｓ１１２５）。また携帯電話機１は、ユーザ操作が行われたかどうかを監視し（Ｓ１１２６）、ユーザ操作が行われたことを検知すると（Ｓ１１２６：ＹＥＳ）、応答方法設定情報記憶部１２６が記憶している応答方法設定情報７００のうち、設定フラグ７１１に「１」が設定されているものを読み出す（Ｓ１１２７）。そして携帯電話機１は、Ｓ１１２６で検知した操作が、Ｓ１１２７で読み出した応答方法７１２に該当する操作か否かを判断し（Ｓ１１２８）、該当する操作であった場合は（Ｓ１１２８：ＹＥＳ）、操作キーの状態を図７の応答方法設定情報７００の対応する状態に制御して通話処理を開始し（Ｓ１１２９）、該当する操作でなかった場合は（Ｓ１１２８：ＮＯ）、当該操作（優先画面の切替操作、着信音の音量をオフする操作、画面制御に関する操作等）に応じた処理を実行する（Ｓ１１３０）。
【００５２】
Ｓ１１３１では、携帯電話機１は、Ｓ１１１２で読み出した音声通話判別条件６００の名称６１２に「ユーザ指定」が設定されているか否かを判断する。「ユーザ指定」が設定されていれば（Ｓ１１３１：ＹＥＳ）、Ｓ１１３２に進み、「ユーザ指定」が設定されていなければ（Ｓ１１３１：ＮＯ）、図１１Ｂに示すＳ１１５１に進む。
【００５３】
Ｓ１１３２では、携帯電話機１は、通話相手の電話番号が（電話番号３１３に）設定されているレコードがアドレス帳データ３００に存在するか否かを判断する。存在する場合には（Ｓ１１３２：ＹＥＳ）、Ｓ１１３３に進み、存在しない場合には（Ｓ１１３２：ＮＯ）、Ｓ１１２０に進む。
【００５４】
Ｓ１１３３では、携帯電話機１は、Ｓ１１３２で抽出したアドレス帳データ３００のレコードの優先フラグ３１７に「１」が設定されているか否かを判断する。設定されている場合には（Ｓ１１３３：ＹＥＳ）、Ｓ１１１５に進み、設定されていない場合には（Ｓ１１３３：ＮＯ）、Ｓ１１２０に進む。
【００５５】
図１１Ｂに示すＳ１１５１では、携帯電話機１は、図１１ＡのＳ１１１２で読み出した音声通話判別条件６００の名称６１２に「通信量」が設定されているか否かを判断する。「通信量」が設定されていれば（Ｓ１１５１：ＹＥＳ）、Ｓ１１５２に進み、「通信量」が設定されていなければ（Ｓ１１５１：ＮＯ）、Ｓ１１５３に進む。
【００５６】
Ｓ１１５２では、携帯電話機１は、通信履歴記憶部１２４が記憶している音声通話履歴５００の通話回数５１６及び通話時間５１７を参照し、今回の通話相手と過去に１０回以上かつ１０分以上通信しているか否かを判断する。今回の通話相手と過去に１０回以上かつ１０分以上通信している場合には（Ｓ１１５２：ＹＥＳ）、図１１ＡのＳ１１１５に進み、していない場合には（Ｓ１１５２：ＮＯ）、図１１ＡのＳ１１２０に進む。
【００５７】
Ｓ１１５３では、携帯電話機１は、図１１ＡのＳ１１１２で読み出した音声通話判別条件６００の名称６１２に「通信状況」が設定されているか否かを判断する。「通信状況」が設定されていれば（Ｓ１１５３：ＹＥＳ）、Ｓ１１５４に進み、「通信状況」が設定されていなければ、すなわち、「経過時間」が設定されていれば（Ｓ１１５３：ＮＯ）、Ｓ１１５５に進む。
【００５８】
Ｓ１１５４では、携帯電話機１は、通信履歴記憶部１２４が記憶している音声通話履歴５００の通話種別５１２、及び通話状況５１５を参照し、今回の通話相手からの着信に前回応答しているか否かを判断する（Ｓ１１５４）。今回の通話相手からの着信に前回応答している場合には（Ｓ１１５４：ＹＥＳ）、図１１ＡのＳ１１１５に進み、前回応答していない場合には（Ｓ１１５４：ＮＯ）、図１１ＡのＳ１１２０に進む。
【００５９】
Ｓ１１５５では、携帯電話機１は、通信履歴記憶部１２４が記憶している音声通話履歴５００の日時５１１を参照し、今回の通話相手と過去１週間以内に通信しているか否かを判断する（Ｓ１１５５）。通信している場合には（Ｓ１１５５：ＹＥＳ）、図１１ＡのＳ１１１５に進み、通信していない場合には（Ｓ１１５５：ＮＯ）、図１１ＡのＳ１１２０に進む。
【００６０】
図１２Ａは図１０のメール着信処理（Ｓ１０１６）の詳細を説明するフローチャートである。携帯電話機１は、着信した電子メールの通信相手のメールアドレスを取得する（Ｓ１２１１）。携帯電話機１のメールデータ記憶部１２３は、着信した電子メールを着信メールデータ４５０として記憶する（Ｓ１２１２）。
【００６１】
次に携帯電話機１は、判別条件記憶部１２５が記憶しているメール通信判別条件６５０のうち、設定フラグ６５１に「１」が設定されているものを読み出す（Ｓ１２１３）。そして携帯電話機１は、読み出したメール通信判別条件６５０の名称６１２に「アドレス帳」が設定されているか否かを判断する（Ｓ１２１４）。「アドレス帳」が設定されていれば（Ｓ１２１４：ＹＥＳ）、Ｓ１２１５に進み、「アドレス帳」が設定されていなければ（Ｓ１２１４：ＮＯ）、Ｓ１２４１に進む。
【００６２】
Ｓ１２１５では、携帯電話機１は、通信相手のメールアドレスが（メールアドレス３１４に）設定されているレコードがアドレス帳データ３００に存在するか否かを判断し、存在する場合には（Ｓ１２１５：ＹＥＳ）、Ｓ１２１６に進み、存在しない場合には（Ｓ１２１５：ＮＯ）、Ｓ１２２１に進む。
【００６３】
Ｓ１２１６では、携帯電話機１は、着信画面を表示部１７の表示領域の上段に大サイズで表示する。また携帯電話機１は、その他の画面を表示領域の下段に着信画面よりも小サイズで表示する（Ｓ１２１７）。また携帯電話機１は、アドレス帳データ３００から、通信相手の画像データ３１６、名前３１２を読み出して、着信画面にその画像データ、名前、Ｓ１２１１で取得したメールアドレスを表示する（Ｓ１２１８）。そして携帯電話機１は、着信画面を優先画面に設定（着信画面を特定する情報に優先画面であることを示す情報を対応づけてＲＡＭ１２に記憶）し（Ｓ１２１９）、その他の画面を非優先画面に設定（その他の画面を特定する情報に非優先画面であることを示す情報を対応づけてＲＡＭ１２に記憶）する（Ｓ１２２０）。その後はＳ１２２６に進む。
【００６４】
一方、Ｓ１２２１では、携帯電話機１は、表示部１７の表示領域の下段に中サイズで表示する。また携帯電話機１は、その他の画面を表示領域の上段に中サイズで表示する（Ｓ１２２２）。また携帯電話機１は、着信画面にＳ１２１１で取得したメールアドレスを表示する（Ｓ１２２３）。そして携帯電話機１は、着信画面を非優先画面に設定（着信画面を特定する情報に非優先画面であることを示す情報を対応づけてＲＡＭ１２に記憶）し（Ｓ１２２４）、その他の画面を優先画面に設定（その他の画面を特定する情報に優先画面であることを示す情報を対応づけてＲＡＭ１２に記憶）する（Ｓ１２２５）。その後はＳ１２２６に進む。
【００６５】
Ｓ１２２６では、携帯電話機１は、音声信号処理部１６を制御して、着信音を出力する（Ｓ１２２６）。また携帯電話機１は、ユーザ操作が行われたかどうかを監視し（Ｓ１２２７）、ユーザ操作が行われたことを検知すると（Ｓ１２２７：ＹＥＳ）、応答方法設定情報記憶部１２６が記憶している応答方法設定情報７００のうち、設定フラグ７１１に「１」が設定されているものを読み出す（Ｓ１２２８）。そして携帯電話機１は、Ｓ１２２７で検知した操作が、Ｓ１２２８で読み出した応答方法７１２に該当する操作か否かを判断し（Ｓ１２２９）、該当する操作であった場合は（Ｓ１２２９：ＹＥＳ）、操作キーの状態を図７の応答方法設定情報７００の対応する状態に制御して着信した電子メールを表示し（Ｓ１２３０）、該当する操作でなかった場合は（Ｓ１２２９：ＮＯ）、当該操作（優先画面の切替操作、着信音の音量をオフする操作、画面制御に関する操作等）に応じた処理を実行する（Ｓ１２３１）。
【００６６】
Ｓ１２４１では、携帯電話機１は、Ｓ１２１３で読み出したメール通信判別条件６５０の名称６５２に「ユーザ指定」が設定されているか否かを判断する。そして「ユーザ指定」が設定されていれば（Ｓ１２４１：ＹＥＳ）、Ｓ１２４２に進み、「ユーザ指定」が設定されていなければ（Ｓ１２４１：ＮＯ）、図１２Ｂに示すＳ１２５１に進む。
【００６７】
Ｓ１２４２では、携帯電話機１は、当該通信相手のメールアドレスが（メールアドレス３１４に）設定されているレコードがアドレス帳データ３００に存在するか否かを判断し、存在する場合には（Ｓ１２４２：ＹＥＳ）、Ｓ１２４３に進み、存在しない場合には（Ｓ１２４２：ＮＯ）、Ｓ１２２１に進む。
【００６８】
Ｓ１２４３では、携帯電話機１は、Ｓ１２４２で抽出したアドレス帳データ３００のレコードの優先フラグ３１７に「１」が設定されているか否かを判断する。設定されている場合には（Ｓ１２４３：ＹＥＳ）、Ｓ１２１６に進み、設定されていない場合には（Ｓ１２４３：ＮＯ）、Ｓ１２２１に進む。
【００６９】
図１２Ｂに示すＳ１２５１では、携帯電話機１は、図１２ＡのＳ１２１３で読み出したメール通信判別条件６５０の名称６５２に「通信量」が設定されているか否かを判断する。「通信量」が設定されていれば（Ｓ１２５１：ＹＥＳ）、Ｓ１２５２に進み、「通信量」が設定されていなければ（Ｓ１２５１：ＮＯ）、Ｓ１２５３に進む。
【００７０】
Ｓ１２５２では、携帯電話機１は、通信履歴記憶部１２４が記憶しているメール通信履歴５５０のメール回数５５６を参照し、今回の通信相手と過去に１０回以上通信しているか否かを判断する。通信している場合には（Ｓ１２５２：ＹＥＳ）、図１２ＡのＳ１２１６に進み、通信していない場合には（Ｓ１２５２：ＮＯ）、図１２ＡのＳ１２２１に進む。
【００７１】
Ｓ１２５３では、図１２ＡのＳ１２１３で読み出したメール通信判別条件６５０の名称６５２に「通信状況」が設定されているか否かを判断する。「通信状況」が設定されていれば（Ｓ１２５３：ＹＥＳ）、Ｓ１２５４に進み、「通信状況」が設定されていなければ、すなわち、「経過時間」が設定されていれば（Ｓ１２５３：ＮＯ）、Ｓ１２５５に進む。
【００７２】
Ｓ１２５４では、携帯電話機１は、通信履歴記憶部１２４が記憶しているメール通信履歴５５０のメール種別５５２、及びメール状況５５５を参照し、今回の通信相手からの着信に前回返信しているか否かを判断する（Ｓ１２５４）。今回の通信相手からの着信に前回返信している場合には（Ｓ１２５４：ＹＥＳ）、図１２ＡのＳ１２１６に進み、前回返信していない場合には（Ｓ１２５４：ＮＯ）、図１２ＡのＳ１２２１に進む。
【００７３】
Ｓ１２５５では、携帯電話機１は、通信履歴記憶部１２４が記憶しているメール通信履歴５５０の日時５５１を参照し、今回の通信相手と過去１週間以内に通信しているか否かを判断する（Ｓ１２５５）。通信している場合には（Ｓ１２５５：ＹＥＳ）、図１２ＡのＳ１２１６に進み、通信していない場合には（Ｓ１２５５：ＮＯ）、図１２ＡのＳ１２２１に進む。
【００７４】
ところで、以上の実施形態では、判別条件記憶部１２５が記憶している判別条件（音声通話判別条件６００又はメール通信判別条件６５０）による判別の結果に応じて、着信画面やその他の画面の表示サイズを大中小のいずれかのサイズに変更するようにしているが、表示サイズの変更に変えて、例えば、着信画面及びその他の画面を階層的に表示し、判別条件による判別の結果に応じて着信画面又はその他の画面の表示位置（表示階層、表示レイヤ）を変更するようにしてもよい。
【００７５】
以上に説明した仕組みよれば、以下の効果が奏される。
まず着信相手の優先度に応じて、操作に応じた処理を適切に制御することができる。
【００７６】
また着信相手が優先したい相手の場合には、着信画面を主要な操作が可能な画面とすることで、ユーザが容易にその着信に対して応答することができる。
【００７７】
着信相手が優先したい相手の場合には、着信画面で複数キーによる着信応答（エニーキーアンサー）を可能とすることで、ユーザが容易にその着信に対して応答することができる。
【００７８】
着信相手が優先したい相手の場合には、着信画面での所定キー（例えば通話開始キー８１３）による着信応答を可能とすることで、ユーザが所定キーを操作するだけでその着信に対して応答することができる。
【００７９】
着信相手が優先したい相手でない場合には、着信画面を一部操作が可能もしくは操作が不可能な画面とし、着信画面以外の画面を主要な操作が可能な画面とすることで、ユーザが着信を認知できるとともに、着信画面以外の画面の操作を継続することができる。
【００８０】
着信相手が優先したい相手でない場合には、着信画面での所定キー（例えば通話開始キー８１３）による着信応答を可能とすることで、ユーザが容易に着信に対して応答できるとともに、意図せずに誤って着信に対して応答することを防止できる。例えば、ユーザが表示中の画面の操作を行っているような状況で優先したい相手でない相手から着信があった場合に、着信画面でエニーキーアンサーが有効になっていると、ユーザは着信直後に操作を急には中断できないので、誤って着信に対して応答してしまう。所定キーが応答するキーであれば誤応答の可能性を低減することができるとともに、意識的に所定キーを操作すれば、着信に対して応答することができる。
【００８１】
着信相手が優先したい相手でない場合に、着信に対して応答する処理を抑制することで、ユーザが着信画面以外の画面の操作を継続できるとともに、意図せずに誤って着信に対して応答することを防止できる。
【００８２】
予め着信相手の優先度を決めることができる。
【００８３】
着信相手の優先度を、通信量に応じて自動的に決めることができる。
【００８４】
通信相手の優先度を、通信状況に応じて自動的に決めることができる。
【００８５】
着信相手の優先度を、前回通信からの経過時間に応じて自動的に決めることができる。
【００８６】
着信相手の優先度に応じて、着信画面の表示内容を自動的に制御することができる。
【００８７】
着信相手の優先度に応じて、着信画面の表示サイズを自動的に制御することができる。
【００８８】
着信相手の優先度に応じて、着信画面の表示位置を自動的に制御することができる。
【図面の簡単な説明】
【００８９】
【図１】実施形態として説明するシステムの構成図である。
【図２】実施形態として説明する携帯電話機１のブロック図である。
【図３】実施形態として説明するアドレス帳データ３００の一例である。
【図４Ａ】実施形態として説明する発信メールデータ４００の一例である。
【図４Ｂ】実施形態として説明する着信メールデータ４５０の一例である。
【図５Ａ】実施形態として説明する音声通話履歴５００の一例である。
【図５Ｂ】実施形態として説明するメール通信履歴５５０の一例である。
【図６Ａ】実施形態として説明する音声通話判別条件６００の一例である。
【図６Ｂ】実施形態として説明するメール通信判別条件６５０の一例である。
【図７】実施形態として説明する応答方法設定情報７００の一例である。
【図８】実施形態として説明する携帯電話機１の操作部１８を構成する操作キーのレイアウトである。
【図９】実施形態として説明する表示部１７に表示される画面を説明する図である。
【図１０】実施形態として説明する携帯電話機１において行われる処理を説明するフローチャートである。
【図１１Ａ】実施形態として説明する図１０の音声着信処理（Ｓ１０１６）の詳細を説明するフローチャートである。
【図１１Ｂ】実施形態として説明する図１０の音声着信処理（Ｓ１０１６）の詳細を説明するフローチャートである。
【図１２Ａ】実施形態として説明する図１０のメール着信処理（Ｓ１０１６）の詳細を説明するフローチャートである。
【図１２Ｂ】実施形態として説明する図１０のメール着信処理（Ｓ１０１６）の詳細を説明するフローチャートである。
【符号の説明】
【００９０】
１  携帯電話機
３  無線通信網
６  インターネット
１１  中央制御部
１２  ＲＡＭ
１３  ＲＯＭ
１４  無線通信部
１６  音声信号処理部
１７  表示部
１８  操作部
１９  ＲＴＣ
１２２  アドレス帳データ記憶部
１２３  メールデータ記憶部
１２４  通信履歴記憶部
１２５  判別条件記憶部
１２６  応答方法設定情報記憶部
３００  アドレス帳データ
４００  発信メールデータ
４５０  着信メールデータ
５００  音声通話履歴
５５０  メール通信履歴
６００  音声通話判別条件
６５０  メール通信判別条件
７００  応答方法設定情報
【図１】
2008311705.tif 000003
【図２】
2008311705.tif 000004
【図３】
2008311705.tif 000005
【図４Ａ】
2008311705.tif 000006
【図４Ｂ】
2008311705.tif 000007
【図５Ａ】
2008311705.tif 000008
【図５Ｂ】
2008311705.tif 000009
【図６Ａ】
2008311705.tif 000010
【図６Ｂ】
2008311705.tif 000011
【図７】
2008311705.tif 000012
【図８】
2008311705.tif 000013
【図９】
2008311705.tif 000014
【図１０】
2008311705.tif 000015
【図１１Ａ】
2008311705.tif 000016
【図１１Ｂ】
2008311705.tif 000017
【図１２Ａ】
2008311705.tif 000018
【図１２Ｂ】
2008311705.tif 000019